【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
記録装置であって、
前記記録装置の位置情報を取得する位置情報取得手段と、
動画データを動画ファイルとして記録媒体に記録する記録手段と、
前記動画ファイルの記録中に、記録中の動画ファイルのサイズが所定のサイズに達したことに応じて、記録中の動画ファイルをクローズし、新たに動画ファイルを作成して前記位置情報取得手段により取得された位置情報と共に新たに作成された前記動画ファイルを前記記録媒体に記録するよう、前記記録手段を制御する制御手段
とを備えることを特徴とする記録装置。
【請求項２】
前記制御手段は、記録中の前記動画ファイルのサイズが前記所定のサイズよりも小さい余裕サイズに達したことに応じて、前記位置情報取得手段が前記位置情報を取得可能か否かを判別し、前記位置情報を取得できた場合には、前記動画ファイルのサイズがファイル分割値に達することを待つことなく、記録中の前記動画ファイルをクローズし、新たに動画ファイルを作成して前記取得手段により取得された位置情報と共に新たに作成された前記動画ファイルを前記記録媒体に記録するように前記記録手段を制御することを特徴とする請求項１に記載の記録装置。
【請求項３】
前記制御手段は、記録中の前記動画ファイルのサイズが前記余裕サイズに達したことに応じて前記位置情報を取得できないと判別した場合、記録中の前記動画ファイルのサイズが前記所定のサイズに達するまでの間に前記取得手段により前記位置情報が取得できるようになったことに応じて、記録中の前記動画ファイルをクローズし、新たに動画ファイルを作成して前記位置情報取得手段により取得された位置情報と共に新たに作成された前記動画ファイルを前記記録媒体に記録するように前記記録手段を制御することを特徴とする請求項２に記載の記録装置。
【請求項４】
前記制御手段は、記録中の前記動画ファイルのサイズが前記所定のサイズに達するまでの間に前記位置情報取得手段により前記位置情報が取得できなかった場合、記録中の前記動画ファイルをクローズし、新たに動画ファイルを作成して、前記新たに作成された前記動画ファイルに前記位置情報を付加せずに前記記録媒体に記録するように前記記録手段を制御することを特徴とする請求項３に記載の記録装置。
【請求項５】
前記制御手段は、記録中の前記動画ファイルのサイズが前記所定のサイズに達したことに応じて前記位置情報取得手段により前記位置情報を取得できなかった場合、記録中の動画ファイルをクローズして新たに動画ファイルを作成し、前記記録開始の指示の後に記録された１以上の動画ファイルの何れかに付加された位置情報と共に新たに作成された動画ファイルを記録するように前記記録手段を制御することを特徴とする請求項１に記載の記録装置。
【請求項６】
前記制御手段は、前記記録開始の指示の後に記録された１以上の動画ファイルの何れかに付加された位置情報と共に新たに作成された動画ファイルを記録した場合、前記新たに作成された動画ファイルの記録中に、新たに前記位置情報取得手段により前記位置情報が取得されたことに応じて、前記新たに作成された動画ファイルに付加された位置情報を、前記新たに取得された位置情報に変更するように前記記録手段を制御することを特徴とする請求項５に記載の記録装置。
【請求項７】
前記位置情報取得手段は、衛星測位システムを用いて前記記録装置の位置を計測することにより前記位置情報を取得することを特徴とする請求項１から６の何れか１項に記載の記録装置。
【請求項８】
記録装置であって、
前記記録装置の位置情報を取得する位置情報取得手段と、
ユーザの指示に応じて、動画データを動画ファイルとして記録媒体に記録する記録手段と、
前記動画ファイルの記録中に、記録中の動画ファイルのサイズが所定のサイズに達したことに応じて、記録中の動画ファイルをクローズし、新たに動画ファイルを作成し、前記動画データを、前記新たに生成された動画ファイルとして、継続して記録するよう制御する制御手段
とを有し、
前記動画ファイルが、ユーザの指示により記録されたか、前記動画ファイルのサイズが所定のサイズに達したことにより生成されたかに関わらず、前記記録手段は、前記位置情報取得手段により取得される位置情報を前記動画ファイルに対応づけて記録する
ことを特徴とする記録装置。
【請求項９】
記録装置を制御する制御方法であって、
前記記録装置の位置情報を取得する位置情報取得工程と、
動画データを動画ファイルとして記録媒体に記録する記録工程と、
前記動画ファイルの記録中に、記録中の動画ファイルのサイズが所定のサイズに達したことに応じて、記録中の動画ファイルをクローズし、新たに動画ファイルを作成して前記位置情報取得手段により取得された位置情報と共に新たに作成された前記動画ファイルを前記記録媒体に記録するよう、前記記録手段を制御する制御工程
とを備えることを特徴とする記録装置の制御方法。
【請求項１０】
記録装置の制御方法であって、
前記記録装置の位置情報を取得する位置情報取得工程と、
ユーザの指示に応じて、動画データを動画ファイルとして記録媒体に記録する記録工程と、
前記動画ファイルの記録中に、記録中の動画ファイルのサイズが所定のサイズに達したことに応じて、記録中の動画ファイルをクローズし、新たに動画ファイルを作成し、前記動画データを、前記新たに生成された動画ファイルとして、継続して記録するよう制御する制御工程
とを有し、
前記動画ファイルが、ユーザの指示により記録されたか、前記動画ファイルのサイズが所定のサイズに達したことにより生成されたかに関わらず、前記記録工程では、前記位置情報取得手段により取得される位置情報を前記動画ファイルに対応づけて記録する
ことを特徴とする記録装置の制御方法。
【請求項１１】
コンピュータを、請求項１に記載の記録装置として機能させるための、コンピュータが読み取り可能なプログラム。
【請求項１２】
コンピュータを、請求項８に記載の記録装置として機能させるための、コンピュータが読み取り可能なプログラム。
【手続補正２】
【補正対象書類名】明細書
【補正対象項目名】発明の名称
【補正方法】変更
【補正の内容】
【発明の名称】記録装置及びその制御方法並びにプログラム
【手続補正３】
【補正対象書類名】明細書
【補正対象項目名】０００１
【補正方法】変更
【補正の内容】
【０００１】
本発明は記録装置及びその制御方法並びにプログラムに関し、特に、動画の記録装置及びその制御方法並びにプログラムに関する。
【手続補正４】
【補正対象書類名】明細書
【補正対象項目名】０００７
【補正方法】変更
【補正の内容】
【０００７】
本発明はこの様な問題を解決し、１回の動画の記録で複数の動画ファイルが生成される場合に、どの動画ファイルからも位置情報を参照できるようにした記録装置及びその制御方法並びにプログラムを提示することを目的とする。
【手続補正５】
【補正対象書類名】明細書
【補正対象項目名】０００８
【補正方法】変更
【補正の内容】
【０００８】
本発明に係る記録装置は、記録装置であって、前記記録装置の位置情報を取得する位置情報取得手段と、動画データを動画ファイルとして記録媒体に記録する記録手段と、前記動画ファイルの記録中に、記録中の動画ファイルのサイズが所定のサイズに達したことに応じて、記録中の動画ファイルをクローズし、新たに動画ファイルを作成して前記位置情報取得手段により取得された位置情報と共に新たに作成された前記動画ファイルを前記記録媒体に記録するよう、前記記録手段を制御する制御手段とを備えることを特徴とする。
【手続補正６】
【補正対象書類名】明細書
【補正対象項目名】００４１
【補正方法】変更
【補正の内容】
【００４１】
本実施例でも、位置情報を取得できずに記録中の動画ファイルのサイズがファイル分割閾値に達した場合（Ｓ５０９，Ｓ５１２）、記録中の動画ファイルをクローズして、新たな動画ファイルを作成する（Ｓ５１４）。本実施例では、更に、制御部１０２は、以前に記録された何れかの動画ファイルに位置情報を付加して記録済みか否かを判別する（Ｓ５１５）。すなわち、制御部１０２は、記録開始の指示の後に作成された１以上の動画ファイルのうちの何れかの動画ファイルに位置情報が付加されているか否かを判別する。